(57)【要約】【課題】簡単な構成でブーツのウエビングへの縫製を廃止することができるバックル装置及びブーツ固定方法を得る。【解決手段】ブーツ４０は、その基端４０Ｂにおける切欠凹部４４の当て面４４Ａがアンカプレート３０（平板部１３０Ｃ）の上面３１に突き当てられ、当て面４４Ａを含む基端４０Ｂ側の複数箇所がアンカプレート３０に支持されることによってアンカプレート３０に対して起立姿勢が保持されている。【選択図】図２
2010036735.tif 000002
【特許請求の範囲】
【請求項１】
タングプレートが係合可能なバックル本体と、
前記バックル本体に一側が連結された連結部材と、
前記連結部材の他側に連結されて車体の床部側に固定されるアンカ部材と、
筒状に形成されて一端側を前記バックル本体に嵌めて前記連結部材の外周側を覆い、他端の端面に前記アンカ部材の上面に突き当てられる当て面を備えると共に、前記当て面を含む他端側が前記アンカ部材に支持されることによって前記アンカ部材に対して起立姿勢が保持されたブーツと、
を有するバックル装置。
【請求項２】
前記アンカ部材の一部及び前記ブーツの一部で構成されて前記アンカ部材と前記ブーツとの接する部位に設けられかつ前記アンカ部材に対する前記ブーツの変位を規制する規制手段を有する請求項１記載のバックル装置。
【請求項３】
前記規制手段は、前記アンカ部材に形成された爪部と、前記ブーツの他端側に形成されて前記爪部が嵌合された嵌合部と、を含んで構成されている請求項２記載のバックル装置。
【請求項４】
前記爪部が前記床部から離れた位置で前記ブーツの内側から前記嵌合部に嵌合されており、前記ブーツの他端側の一部が前記爪部と前記床部側との間に挟まれる請求項３記載のバックル装置。
【請求項５】
タングプレートが係合可能なバックル本体と、前記バックル本体に一側が連結された連結部材と、前記連結部材の他側に連結されて車体の床部側に固定されるアンカ部材と、を備えると共に、筒状に形成されたブーツが一端側を前記バックル本体に嵌めて前記連結部材の外周側を覆う位置に固定されるバックル装置のブーツ固定に適用され、
前記アンカ部材を前記ブーツの一端側から挿入して前記ブーツの他端側へ引っ張ることによって、前記ブーツの一端側を前記バックル本体に嵌める第一工程と、
前記第一工程後、前記ブーツを前記アンカ部材の上面側にて起立させる方向へ回転させて、前記ブーツの他端の端面に設けられた当て面を前記アンカ部材の上面に突き当てると共に、前記当て面を含む前記ブーツの他端側を前記アンカ部材に支持させることによって前記アンカ部材に対する前記ブーツの起立姿勢を保持する第二工程と、
を有するブーツ固定方法。
【発明の詳細な説明】
【技術分野】
【０００１】
本発明は、バックル本体に一端側が嵌められたブーツによってウエビングの外周側を覆うバックル装置、及びブーツをバックル本体に嵌めた状態で固定するためのブーツ固定方法に関する。
【背景技術】
【０００２】
車両のシートベルト装置においては、タングプレートを保持するためにバックル装置を備えている。このようなバックル装置としては、バックルがウエビング（連結部材）を介してアンカプレート（アンカ部材）に連結されると共にウエビングが筒状のブーツによって覆われた構成のものがある。
【０００３】
ところで、前記構成のバックル装置では、ブーツは、一般にその上端側がバックル本体の基端側に嵌められた状態で固定されている。このようなブーツの固定は、通常ブーツをウエビングに縫製することによって行っている。しかしながら、このような構成では、ブーツの固定に縫製が必要になる。
【０００４】
一方、ブーツに相当する保護カバーがウエビングへ縫製されないバックル装置がある（例えば、特許文献１参照）。例えば、下記特許文献１に開示された自立式シートベルト（バックル装置）では、筒状の保護カバーによって、バックル本体の下部及びウエビングを抱持させると共に、保護カバーの内部にはバックル本体の下部及びウエビングの一側に沿うように弾性プレートを挿入し、かつ当該弾性プレートの基端部をアンカプレートと共にフロアパネルに固着させた構造としている。
【特許文献１】実開昭６３−２８０５６号公報
【発明の開示】
【発明が解決しようとする課題】
【０００５】
しかしながら、この従来構造では、保護カバー内に弾性プレートを配設してフロアパネルに固着させなければならず、部品点数が増加して構造が複雑化する。
【０００６】
本発明は、上記事実を考慮して、簡単な構成でブーツのウエビングへの縫製を廃止することができるバックル装置及びブーツ固定方法を得ることが目的である。
【課題を解決するための手段】
【０００７】
請求項１に記載する本発明のバックル装置は、タングプレートが係合可能なバックル本体と、前記バックル本体に一側が連結された連結部材と、前記連結部材の他側に連結されて車体の床部側に固定されるアンカ部材と、筒状に形成されて一端側を前記バックル本体に嵌めて前記連結部材の外周側を覆い、他端の端面に前記アンカ部材の上面に突き当てられる当て面を備えると共に、前記当て面を含む他端側が前記アンカ部材に支持されることによって前記アンカ部材に対して起立姿勢が保持されたブーツと、を有する。
【０００８】
請求項１に記載する本発明のバックル装置によれば、バックル本体には、タングプレートが係合可能となっており、連結部材の一側が連結されている。連結部材は、その外周側が筒状のブーツによって覆われており、ブーツの一端側はバックル本体に嵌められている。また、連結部材の他側には、アンカ部材が連結されており、このアンカ部材は車体の床部側に固定される。
【０００９】
ここで、ブーツは、その他端の端面に設けられた当て面がアンカ部材の上面に突き当てられ、当て面を含む他端側がアンカ部材に支持されることによってアンカ部材に対して起立姿勢が保持されている。このため、ブーツとアンカ部材との間に他部材を介さなくても、ブーツはアンカ部材に対して起立することができる。また、仮にブーツが上方側から押されても、アンカ部材の上面を受け面として荷重が支持される。これにより、ブーツは、連結部材に縫製されなくても、下方側への変位が抑えられ、アンカ部材の上面に突き当てられた状態で保持される。
【００１０】
請求項２に記載する本発明のバックル装置は、請求項１記載の構成において、前記アンカ部材の一部及び前記ブーツの一部で構成されて前記アンカ部材と前記ブーツとの接する部位に設けられかつ前記アンカ部材に対する前記ブーツの変位を規制する規制手段を有する。
【００１１】
請求項２に記載する本発明のバックル装置によれば、アンカ部材の一部及びブーツの一部で構成された規制手段がアンカ部材とブーツとの接する部位に設けられており、この規制手段によってアンカ部材に対するブーツの変位が規制される。このため、アンカ部材とブーツとの間に他部材を介さない構成であって、かつブーツを連結部材に縫製しない構成でありながら、アンカ部材に対するブーツの相対位置の変化が抑えられる。
【００１２】
請求項３に記載する本発明のバックル装置は、請求項２記載の構成において、前記規制手段は、前記アンカ部材に形成された爪部と、前記ブーツの他端側に形成されて前記爪部が嵌合された嵌合部と、を含んで構成されている。
【００１３】
請求項３に記載する本発明のバックル装置によれば、アンカ部材に形成された爪部が、ブーツの他端側に形成された嵌合部に嵌合されている。このため、爪部の嵌合部への嵌合によってアンカ部材に対するブーツの変位が規制される。
【００１４】
請求項４に記載する本発明のバックル装置は、請求項３記載の構成において、前記爪部が前記床部から離れた位置で前記ブーツの内側から前記嵌合部に嵌合されており、前記ブーツの他端側の一部が前記爪部と前記床部側との間に挟まれる。
【００１５】
請求項４に記載する本発明のバックル装置によれば、爪部は、床部から離れた位置でブーツの内側から嵌合部に嵌合されており、ブーツの他端側の一部は、爪部と床部側との間に挟まれている。このため、ブーツの他端側の一部が爪部によって床部側に保持されるので、ブーツが一層外れにくくなる。
【００１６】
請求項５に記載する本発明のブーツ固定方法は、タングプレートが係合可能なバックル本体と、前記バックル本体に一側が連結された連結部材と、前記連結部材の他側に連結されて車体の床部側に固定されるアンカ部材と、を備えると共に、筒状に形成されたブーツが一端側を前記バックル本体に嵌めて前記連結部材の外周側を覆う位置に固定されるバックル装置のブーツ固定に適用され、前記アンカ部材を前記ブーツの一端側から挿入して前記ブーツの他端側へ引っ張ることによって、前記ブーツの一端側を前記バックル本体に嵌める第一工程と、前記第一工程後、前記ブーツを前記アンカ部材の上面側にて起立させる方向へ回転させて、前記ブーツの他端の端面に設けられた当て面を前記アンカ部材の上面に突き当てると共に、前記当て面を含む前記ブーツの他端側を前記アンカ部材に支持させることによって前記アンカ部材に対する前記ブーツの起立姿勢を保持する第二工程と、を有する。
【００１７】
請求項５に記載する本発明のブーツ固定方法によれば、最初に第一工程で、アンカ部材をブーツの一端側から挿入してブーツの他端側へ引っ張ることによって、ブーツの一端側をバックル本体に嵌める。この第一工程後の第二工程では、ブーツをアンカ部材の上面側にて起立させる方向へ回転させて、ブーツの他端の端面に設けられた当て面をアンカ部材の上面に突き当てると共に、当て面を含むブーツの他端側をアンカ部材に支持させることによってアンカ部材に対するブーツの起立姿勢を保持する。このため、ブーツとアンカ部材との間に他部材を介さなくても、ブーツはアンカ部材に対して起立することができる。また、ブーツの固定後には、仮にブーツが上方側から押されても、アンカ部材の上面を受け面として荷重が支持される。これにより、ブーツは、連結部材に縫製されなくても、下方側への変位が抑えられ、アンカ部材の上面に突き当てられた状態で保持される。
【発明の効果】
【００１８】
以上説明したように、本発明に係る請求項１に記載のバックル装置によれば、簡単な構成でブーツのウエビングへの縫製を廃止することができるという優れた効果を有する。
【００１９】
請求項２に記載のバックル装置によれば、アンカ部材とブーツとの間に他部材を介さない構成であって、かつブーツを連結部材に縫製しない構成でありながら、アンカ部材に対するブーツの変位を規制することができるという優れた効果を有する。
【００２０】
請求項３に記載のバックル装置によれば、爪部の嵌合部への嵌合によってアンカ部材に対するブーツの変位を規制することができるという優れた効果を有する。
【００２１】
請求項４に記載のバックル装置によれば、爪部によってブーツの他端側の一部を床部側に保持させることができ、ブーツを一層外れにくくすることができるという優れた効果を有する。
【００２２】
請求項５に記載のブーツ固定方法によれば、簡単な構成でブーツのウエビングへの縫製を廃止することができるという優れた効果を有する。
【発明を実施するための最良の形態】
【００２３】
［第１実施形態］
本発明の第１の実施形態に係るバックル装置及びブーツ固定方法について図１〜図６を用いて説明する。なお、これらの図において適宜示される矢印ＵＰは、バックル装置が搭載される車両の車両上方側を示しており、矢印Ｗは、前記車両の車両幅方向を示している。
【００２４】
図１には、本発明の第１の実施形態に係るバックル装置２０が斜視図にて示されており、図２には、バックル装置２０及びその周辺構造が断面図（図１の２−２線に沿った拡大断面図）にて示されている。また、図３には、ブーツ４０を固定する前の状態のバックル装置２０が斜視図にて示されている。
【００２５】
図１に示されるように、バックル装置２０は、車両のシートベルト装置１０（一部のみ図示）を構成しており、車体の床部としてのフロアパネル１６上に設置されている。バックル装置２０は、バックル本体２２を備えている。バックル本体２２は、フロアパネル１６上に設置されたシート（座席）１８の側方側に配置され、シートベルト装置１０の一部を構成するタングプレート１４が係合可能となっている。なお、タングプレート１４は、シート１８に着座した乗員を拘束するためのウエビング１２に取り付けられている。
【００２６】
バックル本体２２は、概ねブロック状に形成されている。バックル本体２２の先端部（図１では上端部）には、タングプレート１４に設けられた係止片１４Ａを挿入するための挿入部２４が設けられている。また、バックル本体２２の基端２２Ａ（図１では下端）側には、金属製で板状の連結片２６が設けられている。
【００２７】
図２及び図３に示されるように、バックル本体２２の連結片２６には、スリット状の貫通孔２６Ａが貫通形成されており、この貫通孔２６Ａには、化学繊維等によってベルト状に形成された連結部材としてのウエビング２８の長手方向一端側が挿通されている。貫通孔２６Ａに挿通されたウエビング２８の長手方向一端側は、貫通孔２６Ａの孔縁部に巻き掛けられており、ウエビング２８の長手方向中間部とウエビング２８の長手方向他端部との重合部分に厚さ方向に重ね合わされて縫い付けられている。これにより、ウエビング２８の一側（図２ではウエビング２８の上側、図３ではウエビング２８の右側）がバックル本体２２に連結され、ウエビング２８とバックル本体２２とが一体とされている。
【００２８】
図２に示されるように、ウエビング２８の長手方向他端側は、アンカ部材としてのアンカプレート３０の自由端３０Ａ側（図２では左側）に形成されたスリット状の貫通孔３２に挿通されている。貫通孔３２に挿通されたウエビング２８の長手方向他端側は、貫通孔３２の孔縁部に巻き掛けられており、ウエビング２８の長手方向他端部は、ウエビング２８の長手方向中間部とウエビング２８の長手方向一端部と厚さ方向に重ね合わされて縫い付けられている。これにより、ウエビング２８の他側（図２ではウエビング２８の下側）にアンカプレート３０が連結され、ウエビング２８とアンカプレート３０とが一体とされている。つまり、ウエビング２８によってバックル本体２２とアンカプレート３０とが連結された構成となっている。
【００２９】
アンカプレート３０は、金属製板材が屈曲されて形成されたものであり、自由端３０Ａがフロアパネル１６に対して概ね平行に配置され、固定端３０Ｃがフロアパネル１６上に配置されると共に、段違い平行状の自由端３０Ａと固定端３０Ｃとを傾斜状の中間部３０Ｂが一体に連結している。アンカプレート３０の固定端３０Ｃには、ボルト挿通孔３４が貫通形成されている。このボルト挿通孔３４を貫通したボルト１７Ａにナット１７Ｂが螺合されることで、アンカプレート３０の固定端３０Ｃは、フロアパネル１６（床部側）に締結固定されている。なお、ボルト１７Ａ及びナット１７Ｂは、広義には固定手段として把握される要素である。
【００３０】
また、アンカプレート３０の自由端３０Ａ側には、爪部３６が形成されている。爪部３６は、互いに平行に左右一対設けられており（図３参照）、フロアパネル１６から離れた位置でフロアパネル１６に対して略平行に配置されている。これらの爪部３６は、ブーツ４０の基端４０Ｂ側（図２では下端側）に嵌合されている（詳細後述）。
【００３１】
ブーツ４０は、弾性を有する軟質の合成樹脂材料によって両端が開口した略角筒状に形成されて（図３参照）ウエビング２８の外周側を覆い、貫通方向の一端側（図２では上端側）としての先端４０Ａ側のバックル受け部４１をバックル本体２２の基端２２Ａ側に密着状態で嵌められる（装着される）可撓性部材である。図４には、ブーツ４０の形状が示されている。図４（Ａ）は、ブーツ４０を裏側（乗員着座側とは反対側、図１の矢印４Ａ方向）から見た図であり、図４（Ｂ）は、ブーツ４０を側方側（図１の矢印４Ｂ方向）から見た図であり、図４（Ｃ）は、ブーツ４０を表側（乗員着座側、図１の矢印４Ｃ方向）から見た図である。
【００３２】
ブーツ４０は、裏部１４０（図４（Ａ）参照）、側部２４０（図４（Ｂ）参照）、及び表部３４０（図４（Ｃ）参照）を含んで構成されており、裏部１４０（図４（Ａ）参照）と表部３４０（図４（Ｃ）参照）とが対向配置されると共に、一対の側部２４０（図４（Ｂ）参照）同士が対向配置されている。図４（Ｃ）に示されるように、ブーツ４０の表部３４０において、ブーツ４０の貫通方向の他端側としての基端４０Ｂ側（図４（Ｃ）では下端側）における左右両側には、一対の嵌合部としての嵌合孔４２が貫通形成されている。
【００３３】
図２に示されるように、嵌合孔４２には前述した爪部３６がブーツ４０の内側から嵌合されており、ブーツ４０の基端４０Ｂ側の一部は、爪部３６とフロアパネル１６側との間に挟まれている。爪部３６が嵌合孔４２に嵌合された嵌合構造４８は、アンカプレート３０に対するブーツ４０の変位（装置上下方向及びブーツ幅方向への変位）を規制するための規制手段を構成している。また、爪部３６が嵌合孔４２に嵌合されることで、ブーツ４０の基端４０Ｂ側における各嵌合孔４２（本実施形態では二箇所）がアンカプレート３０に接するようになっている。
【００３４】
図４（Ａ）に示されるように、ブーツ４０の裏部１４０における基端４０Ｂには、ブーツ幅方向（ウエビング２８（図１参照）の幅方向（矢印２８Ｗ方向）と同じ方向）に細長い矩形状の切欠凹部４４が形成されている。切欠凹部４４は、下向きの当て面４４Ａを備えている。当て面４４Ａは、ブーツ幅方向（矢印２８Ｗ方向と同じ方向）に延在しており、ブーツ４０の基端４０Ｂの端面４６の一部を構成している。また、切欠凹部４４は、当て面４４Ａの両サイドに互いに対向する縦壁面４４Ｂを備えている。
【００３５】
図１に示されるように、組付け完了状態では、ブーツ４０の切欠凹部４４にアンカプレート３０の固定端３０Ｃ側の平板部１３０Ｃが嵌合し、ブーツ４０の切欠凹部４４における下向きの当て面４４Ａとフロアパネル１６との間にアンカプレート３０の固定端３０Ｃ側の平板部１３０Ｃが挟まれるように配設されている。換言すれば、アンカプレート３０の上面３１（フロアパネル１６側とは反対側に向けられた面）には、ブーツ４０の当て面４４Ａが突き当てられている。
【００３６】
ここで、ブーツ４０の切欠凹部４４にアンカプレート３０の固定端３０Ｃ側の平板部１３０Ｃが嵌合する嵌合構造５０は、アンカプレート３０に対するブーツ４０の変位（装置下方側及びブーツ幅方向への変位）を規制する規制手段を構成している。また、平板部１３０Ｃが切欠凹部４４に嵌合されることで、ブーツ４０の基端４０Ｂ側における切欠凹部４４がアンカプレート３０に接するようになっている。
【００３７】
図２に示されるように、切欠凹部４４に連続した部位の一部は、アンカプレート３０に形成された切出し爪３８（三角爪、広義には「支持手段」として把握される要素である。）に接して支持される爪対向部４７とされている。切出し爪３８は、上向き凸状に形成され、ウエビング２８の挿通用の貫通孔３２と、ボルト１７Ａの挿通用のボルト挿通孔３４との間に設けられている。切出し爪３８がブーツ４０の爪対向部４７を支持する支持構造５２は、アンカプレート３０に対するブーツ４０の変位（シート１８側とは反対側（図２では右側）への変位）を規制する規制手段を構成している。
【００３８】
以上により、本実施形態では、ブーツ４０の基端４０Ｂ側の複数箇所（二個の嵌合孔４２、切欠凹部４４及び爪対向部４７）がアンカプレート３０に接して支持されることによって、アンカプレート３０に対してのブーツ４０の起立姿勢が保持されている。
【００３９】
このようにブーツ４０を支持するアンカプレート３０は、組付け時にブーツ４０内を挿通可能な寸法に設定されている。図５には、アンカプレート３０とブーツ４０の基端４０Ｂ側の部位との位置関係が平面図にて模式的に示されている。図５に示されるように、ウエビング２８の幅方向（矢印２８Ｗ方向）に沿ったアンカプレート３０の幅寸法３０Ｌは、ウエビング２８の幅方向（矢印２８Ｗ方向）に沿ったブーツ４０の内径幅寸法４０Ｌよりも小さく設定されている。
【００４０】
（ブーツ固定方法）
次に、バックル装置２０のブーツ４０の固定に適用されるブーツ固定方法について図６を参照しながら説明する。
【００４１】
まず、第一工程では、図６（Ａ）に示されるように、アンカプレート３０を筒状のブーツ４０の先端４０Ａ側（図６（Ａ）では左側）から挿入してブーツ４０の基端４０Ｂ側（矢印Ａ方向）へ引っ張ることによって、ブーツ４０の先端４０Ａ側をバックル本体２２の基端２２Ａ側に嵌める。
【００４２】
ここで、図５に示されるように、アンカプレート３０の幅寸法３０Ｌは、ブーツ４０の内径幅寸法４０Ｌよりも小さく設定されている。このため、第一工程において、ブーツ４０内でのアンカプレート３０の移動はスムーズに行われる。
【００４３】
次に、第一工程後の第二工程では、図６（Ｂ）に示されるように、ブーツ４０をアンカプレート３０の上面３１側にて起立させる方向（矢印Ｂ方向）へ回転させて、図６（Ｃ）に示されるように、ブーツ４０の基端４０Ｂの端面４６に設けられた（切欠凹部４４の）当て面４４Ａをアンカプレート３０の上面３１（平板部１３０Ｃ）に突き当てる。なお、アンカプレート３０の回転時には、図６（Ｂ）に示されるように、アンカプレート３０はブーツ４０に干渉するが、ブーツ４０は軟質であるために押し広げられ、アンカプレート３０の回転移動が許容される。
【００４４】
また、図６（Ｃ）に示されるように、この第二工程では、当て面４４Ａを含むブーツ４０の基端４０Ｂ側の複数箇所をアンカプレート３０に支持させる。具体的には、嵌合孔４２に爪部３６を嵌合させ、切欠凹部４４に平板部１３０Ｃを嵌合させ、爪対向部４７に切出し爪３８を接触させることにより、ブーツ４０の基端４０Ｂ側をアンカプレート３０に支持させる。これらによって、アンカプレート３０に対するブーツ４０の起立姿勢を保持する。以上により、ブーツ４０の固定が完了する。
【００４５】
このブーツ固定方法では、ブーツ４０とアンカプレート３０との間に他部材を介さなくても、ブーツ４０はアンカプレート３０に対して起立する。また、仮にブーツ４０が上方側から押されても、アンカプレート３０の上面３１を受け面として荷重が支持される。これにより、ブーツ４０は、ウエビング２８に縫製されなくても、下方側への変位が抑えられてアンカプレート３０の上面３１に突き当てられた状態で保持される。つまり、ブーツ４０の固定（組み付け）が容易になる。このように、簡単な構成でブーツ４０のウエビング２８への縫製を廃止することができる。
【００４６】
（作用・効果）
次に、本実施形態に係るバックル装置２０の作用及び効果について説明する。
【００４７】
図２に示されるように、バックル本体２２には、タングプレート１４が係合可能となっており、ウエビング２８の一側（図２では上側）が連結されている。ウエビング２８は、その外周側が筒状のブーツ４０によって覆われており、ブーツ４０の先端４０Ａ側（図２では上端側）はバックル本体２２の基端２２Ａ側に嵌められている。また、ウエビング２８の他側（図２では下側）には、アンカプレート３０が連結されており、このアンカプレート３０はフロアパネル１６に固定されている。
【００４８】
ここで、ブーツ４０は、その基端４０Ｂ（図２では下端）における切欠凹部４４の当て面４４Ａがアンカプレート３０（平板部１３０Ｃ）の上面３１に突き当てられ、当て面４４Ａを含む基端４０Ｂ側の複数箇所がアンカプレート３０に支持されることによってアンカプレート３０に対して起立姿勢が保持されている。このため、ブーツ４０とアンカプレート３０との間に他部材を介さなくても、ブーツ４０はアンカプレート３０に対して起立することができる。また、仮にブーツ４０が上方側から押されても、アンカプレート３０の上面３１を受け面として荷重が支持される。これにより、ブーツ４０は、ウエビング２８に縫製されなくても、下方側への変位が抑えられてアンカプレート３０の上面３１に突き当てられた状態で保持される。
【００４９】
また、アンカプレート３０とブーツ４０との接する部位に設けられた嵌合構造４８、５０及び支持構造５２が規制手段として機能してアンカプレート３０に対するブーツ４０の変位が規制される。より具体的には、支持構造５２では、アンカプレート３０の切出し爪３８がブーツ４０の爪対向部４７をアンカプレート３０の固定端３０Ｃ側から支持している。嵌合構造５０では、ブーツ４０の切欠凹部４４にアンカプレート３０の固定端３０Ｃ側の平板部１３０Ｃが嵌合している。また、嵌合構造４８では、アンカプレート３０に形成された爪部３６は、フロアパネル１６から離れた位置でブーツ４０の内側から嵌合孔４２に嵌合されている。これらによって、アンカプレート３０に対するブーツ４０の変位が規制される。また、ブーツ４０の基端４０Ｂ側の一部は、爪部３６とフロアパネル１６との間に挟まれている。このため、ブーツ４０の基端４０Ｂ側の一部が爪部３６によってフロアパネル１６に保持されるので、ブーツ４０が一層外れにくくなる。
【００５０】
これらにより、アンカプレート３０とブーツ４０との間に他部材を介さない構成であって、かつブーツ４０をウエビング２８に縫製しない構成でありながら、アンカプレート３０に対するブーツ４０の相対位置の変化が抑えられ、ブーツ４０は、アンカプレート３０の上面３１に突き当てられた状態で保持される。
【００５１】
以上説明したように、本実施形態に係るバックル装置２０及びブーツ固定方法によれば、簡単な構成で（アンカプレート３０の小形状変更等で）ブーツ４０のウエビング２８への縫製を廃止することができる。
【００５２】
なお、本実施形態によれば、ブーツ４０を簡易的に自己自立させることが可能になるので、例えば、シート１８の組付け時にバックル本体２２の支持が不要となる。
【００５３】
［第２実施形態］
次に、本発明の第２の実施形態に係るバックル装置５４及びブーツ固定方法について、図７を用いて説明する。図７には、本発明の第２の実施形態に係るバックル装置５４が縦断面図（第１の実施形態における図２に相当する断面図）にて示されている。この図に示されるように、バックル装置５４は、嵌合孔４２に代えて、嵌合部としての嵌合凹部５６を備える点で、第１の実施形態に係るバックル装置２０（図２参照）とは異なる。他の構成は、第１の実施形態とほぼ同様の構成となっている。よって、第１の実施形態と実質的に同様の構成部については、同一符号を付して説明を省略する。
【００５４】
なお、バックル装置５４のブーツ４０の固定に適用されるブーツ固定方法は、第二工程において、第１の実施形態における嵌合孔４２（図２参照）に代えて嵌合凹部５６に爪部３６が嵌合される点を除き、第１の実施形態と同様である。よって、本実施形態に係るブーツ固定方法の詳細な説明は省略する。
【００５５】
図７に示されるように、嵌合凹部５６は、ブーツ４０の基端４０Ｂ側（図７では下端側）においてブーツ４０の筒内側に向けて開口した凹形状に形成されている。嵌合凹部５６には、フロアパネル１６から離れた位置で爪部３６がブーツ４０の内側から嵌合されており、ブーツ４０の基端４０Ｂ側の一部が爪部３６とフロアパネル１６との間に挟まれている。爪部３６が嵌合凹部５６に嵌合されて接する嵌合構造５８は、アンカプレート３０に対するブーツ４０の変位（装置上下方向及びブーツ幅方向への変位）を規制する規制手段を構成している。このような構成によっても、前述した第１の実施形態と同様の作用及び効果が得られる。
【００５６】
［第３実施形態］
次に、本発明の第３の実施形態に係るバックル装置６０及びブーツ固定方法について、図８〜図１０を用いて説明する。図８には、本発明の第３の実施形態に係るバックル装置６０が縦断面図（第１の実施形態における図２に相当する断面図）にて示されている。また、図９には、ブーツ４０に固定される前の状態のバックル装置６０が斜視図（第１の実施形態における図３に相当する斜視図）にて示されている。また、図１０には、バックル装置６０におけるアンカプレート３０とブーツ４０の基端４０Ｂ側の部位との位置関係が模式的な平面図（第１の実施形態における図５に相当する平面図）にて示されている。
【００５７】
これらの図に示されるように、バックル装置６０は、ブーツ４０の基端４０Ｂの端面４６の二箇所が当て面４４Ａ、４５Ａとしてアンカプレート３０の上面３１に突き当てられる点、及び嵌合孔４２に代えて、規制壁部６６を備える点で、第１の実施形態に係るバックル装置２０（図２参照）とは異なる。他の構成は、第１の実施形態とほぼ同様の構成となっている。よって、第１の実施形態と実質的に同様の構成部については、同一符号を付して説明を省略する。
【００５８】
図８及び図９に示されるように、ブーツ４０における表部３４０の基端４０Ｂには、切欠凹部４５が形成されている。切欠凹部４５は、ブーツ４０における裏部１４０の基端４０Ｂの切欠凹部４４と同様に、ブーツ幅方向（図９の矢印２８Ｗ方向と同じ方向）に細長い矩形状に形成されており、下向きの当て面４５Ａを備えている。当て面４５Ａは、ブーツ幅方向（矢印２８Ｗ方向参照）に延在してブーツ４０の基端４０Ｂの端面４６の一部を構成しており、アンカプレート３０の上面３１に突き当てられている（図８参照）。また、図９に示されるように、切欠凹部４５は、当て面４５Ａの両サイドに互いに対向する縦壁面４５Ｂを備えている。
【００５９】
また、本実施形態におけるアンカプレート３０は、図８に示されるように、ブーツ４０内に配設される部位が図８の側断面視でフロアパネル１６から離間するように湾曲した湾曲部６２とされている。湾曲部６２には、頂部を挟んだ両側にスリット状の貫通孔３２、３３が貫通形成されており、湾曲部６２の頂部の下方側でウエビング２８が折り返されるように貫通孔３２、３３にウエビング２８が挿通されている。アンカプレート３０において、湾曲部６２よりも先端側（図８では左側）は、フロアパネル１６上に配置される平板部６４とされている。図８及び図１０に示されるように、この平板部６４の上面３１に既述したブーツ４０における表部３４０の当て面４５Ａが突き当てられている。
【００６０】
アンカプレート３０において、平板部６４よりもさらに先端側（図８では左側、図１０では上側）は、平板部６４から略直角に屈曲された規制壁部６６（広義には「支持手段」として把握される要素である。）が延設されている。図８に示されるように、規制壁部６６は、ブーツ４０の固定状態で、ブーツ４０の表部３４０の基端４０Ｂ側における外向き面の一部である壁部対向部４９に接しており、壁部対向部４９を支持している。規制壁部６６がブーツ４０の壁部対向部４９を支持する支持構造６８は、アンカプレート３０に対するブーツ４０の変位（固定端３０Ｃ側とは反対側（図８では左側）への変位）を規制する規制手段を構成している。
【００６１】
次に、バックル装置６０のブーツ４０の固定に適用されるブーツ固定方法について簡単に説明する。第一工程は、第１の実施形態と同様である。第二工程では、ブーツ４０をアンカプレート３０の上面３１側にて起立させる方向へ回転させてアンカプレート３０における平板部６４及び規制壁部６６をもブーツ４０内から抜き出し、ブーツ４０の基端４０Ｂの端面４６の二箇所（すなわち、裏部１４０の当て面４４Ａ及び表部３４０の当て面４５Ａ）をアンカプレート３０の上面３１に突き当てる。また、この第二工程では、当て面４４Ａ、４５Ａを含むブーツ４０の基端４０Ｂ側の複数箇所をアンカプレート３０に接する位置に配置し、嵌合構造５０、支持構造５２、６８によってアンカプレート３０に対するブーツ４０の変位を規制する。
【００６２】
以上説明したように、本実施形態に係るバックル装置６０及びブーツ固定方法によれば、簡単な構成でブーツ４０のウエビング２８への縫製を廃止することができる。
【００６３】
［実施形態の補足説明］
なお、上記第１、第２の実施形態（図２及び図７参照）では、爪部３６がフロアパネル１６から離れた位置でブーツ４０の内側から嵌合孔４２や嵌合凹部５６に嵌合されているが、爪部は、例えば、床部から離れた位置でブーツの外側から嵌合部に嵌合されてもよい。
【００６４】
また、上記実施形態では、図５及び図１０に示されるように、ウエビング２８の幅方向（矢印２８Ｗ方向）に沿ったアンカプレート３０の幅寸法３０Ｌは、ウエビング２８の幅方向（矢印２８Ｗ方向）に沿ったブーツ４０の内径幅寸法４０Ｌよりも小さく設定されており、このような構成がブーツ４０の組付け上好ましいが、ウエビングの幅方向に沿ったアンカ部材の幅寸法は、例えば、ウエビングの幅方向に沿ったブーツの内径幅寸法と同寸法に設定されてもよく、また、ウエビングの幅方向に沿ったブーツの内径幅寸法よりも大きい寸法に設定されてもよい。なお、例えば、ブーツが略四角筒状（例えば、上記実施形態と同様の形状）に形成され、ウエビングの幅方向に沿ったアンカ部材の幅寸法がウエビングの幅方向に沿ったブーツの内径幅寸法よりも大きい寸法に設定される場合、ブーツ固定時には、ブーツへのアンカ部材の挿入姿勢を、ブーツの貫通方向視で（換言すればアンカ部材が通る方向に見て）アンカ部材の上面がブーツの内壁平面に対して斜め（例えば、ブーツの貫通方向視でブーツの内壁の対角線方向等）になるような姿勢にしてもよい。
【００６５】
さらに、上記実施形態では、図２等に示されるように、アンカプレート３０がフロアパネル１６に直接固定されているが、アンカプレート（アンカ部材）は、他部材を介してフロアパネル（床部）に固定されてもよい。
【００６６】
さらにまた、ブーツは、その他端側の少なくとも一箇所がアンカ部材に支持されることによってアンカ部材に対して起立姿勢が保持されればよく、アンカ部材に支持される箇所数は、上記実施形態の例に限定されない。なお、ブーツの他端側がアンカ部材に一箇所で支持される構成について補足説明すると、ブーツは、例えば、その他端の端面における全面がアンカ部材の上面に突き当てられる当て面とされ、かつ当該他端の端面における全面がアンカ部材に支持されることによって、アンカ部材に対して起立姿勢が保持されるブーツであってもよい。また、他の変形例として、ブーツは、例えば、略四角筒状に形成されると共に、その他端の端面のうち連続した複数辺部（例えば、上記実施形態における裏部１４０の他端の端面及び側部２４０の他端の端面のような略Ｌ字状に連続した二辺部又は略Ｕ字状に連続した三辺部）がアンカ部材の上面に突き当てられる当て面とされ、その他端の端面における連続した複数辺部（一連とされた一箇所）がアンカ部材に支持されることによって、アンカ部材に対して起立姿勢が保持されるブーツであってもよい。
【００６７】
なお、上記実施形態では、連結部材がウエビング２８とされているが、ブーツの連結部材への縫製は不要なので、連結部材は、例えばワイヤ等のような他の連結部材としてもよい。
【図面の簡単な説明】
【００６８】
【図１】本発明の第１の実施形態に係るバックル装置を示す斜視図である。
【図２】本発明の第１の実施形態に係るバックル装置及びその周辺構造を示す断面図（図１の２−２線に沿った拡大断面図）である。
【図３】本発明の第１の実施形態においてブーツを固定する前の状態のバックル装置を示す斜視図である。
【図４】本発明の第１の実施形態におけるブーツの形状を示す図である。図４（Ａ）は、ブーツを裏側（図１の矢印４Ａ方向）から見た図であり、図４（Ｂ）は、ブーツを側方側（図１の矢印４Ｂ方向）から見た図であり、図４（Ｃ）は、ブーツを表側（図１の矢印４Ｃ方向）から見た図である。
【図５】本発明の第１の実施形態におけるアンカプレートとブーツの基端側の部位との位置関係を模式的に示す平面図である。
【図６】本発明の第１の実施形態に係るブーツ固定方法の手順を示す断面図である。図６（Ａ）は第一工程の最終状態を示す。図６（Ｂ）は第二工程の途中状態を示す。図６（Ｃ）は第二工程の最終状態を示す。
【図７】本発明の第２の実施形態に係るバックル装置を示す断面図である。
【図８】本発明の第３の実施形態に係るバックル装置を示す断面図である。
【図９】本発明の第３の実施形態においてブーツを固定する前の状態のバックル装置を示す斜視図である。
【図１０】本発明の第３の実施形態におけるアンカプレートとブーツの基端側の部位との位置関係を模式的に示す平面図である。
【符号の説明】
【００６９】
１４    タングプレート
１６    フロアパネル（床部）
２０    バックル装置
２２    バックル本体
２８    ウエビング（連結部材）
３０    アンカプレート（アンカ部材）
３１    アンカプレートの上面（アンカ部材の上面）
３６    爪部
４０    ブーツ
４０Ａ  先端（一端）
４０Ｂ  基端（他端）
４２    嵌合孔（嵌合部）
４４Ａ  当て面
４５Ａ  当て面
４６    基端の端面（他端の端面）
４８    嵌合構造（規制手段）
５０    嵌合構造（規制手段）
５２    支持構造（規制手段）
５４    バックル装置
５６    嵌合凹部（嵌合部）
５８    嵌合構造（規制手段）
６０    バックル装置
６８    支持構造（規制手段）
Ｂ      起立させる方向
【図１】
2010036735.tif 000003
【図２】
2010036735.tif 000004
【図３】
2010036735.tif 000005
【図４】
2010036735.tif 000006
【図５】
2010036735.tif 000007
【図６】
2010036735.tif 000008
【図７】
2010036735.tif 000009
【図８】
2010036735.tif 000010
【図９】
2010036735.tif 000011
【図１０】
2010036735.tif 000012